(57)【特許請求の範囲】
【請求項１】
壁体により囲まれた部屋を衝立てにより仕切るようにした間仕切り装置において、前記壁体を構成する複数のパネル単体の側端部に、上下方向に並ぶ多数の係止孔を穿設し、この係止孔に、少なくとも上下１対の連結具における連結板の一側面に設けた複数の下向きのフックを、着脱可能に係合させるとともに、前記連結板の他側面に設けた上下方向を向く枢支軸を、前記衝立ての一側端に固着した枢支筒に遊嵌して枢着することにより、衝立てを壁体に水平回動可能に連結したことを特徴とする間仕切り装置。
【請求項２】
連結具のフックを、パネル単体の支柱における棚板取付用ブラケット等の係止孔に係合しうるようにした請求項１記載の間仕切り装置。
【請求項３】
衝立てを、複数の仕切板単体における互いに隣接するものの側端同士を水平回動可能として連結することにより、折り畳み可能とした請求項１または２記載の間仕切り装置。
【請求項４】
壁体の内面にパネルを直角状に取付け、このパネルの先端の側端部に、折り畳み可能な衝立ての一側端を水平回動可能に枢着した請求項３記載の間仕切り装置。
【発明の詳細な説明】
【０００１】
【発明の属する技術分野】
本発明は、例えばローパーテイション等の壁体により囲まれた部屋を、衝立てにより仕切るようにした間仕切り装置に関する。
【０００２】
【従来の技術】
部屋を衝立てにより仕切る際、その倒れを防止するため、衝立ての一側端を、壁体やパーテイションに連結されるが、従来においては、衝立てを、壁体等に一体的に取付けたジョイントにより支持するか、あるいは、壁体の上部の笠木に金具を引掛けるなどして保持していた。
【０００３】
【発明が解決しようとする課題】
しかし、上記前者による方法では、衝立ての着脱が容易でなく、また、取付位置が限定されるため、衝立ての設置位置を変えることはできない。また後者による方法では、衝立ての取付位置は自由だが、連結部の強度が不足するという問題がある。
【０００４】
本発明は、上記問題点を解決するためになされたもので、衝立ての着脱が容易で、設置位置を簡単に変更できるようにし、かつ壁体等との連結部の強度を高めうるようにした間仕切り装置を提供することを目的としている。
【０００５】
【課題を解決するための手段】
本発明によると、上記課題は、次のようにして解決される。
(１) 壁体により囲まれた部屋を衝立てにより仕切るようにした間仕切り装置において、前記壁体を構成する複数のパネル単体の側端部に、上下方向に並ぶ多数の係止孔を穿設し、この係止孔に、少なくとも上下１対の連結具における連結板の一側面に設けた複数の下向きのフックを、着脱可能に係合させるとともに、前記連結板の他側面に設けた上下方向を向く枢支軸を、前記衝立ての一側端に固着した枢支筒に遊嵌して枢着することにより、衝立てを壁体に水平回動可能に連結する。
【０００６】
(２) 上記(１)項において、連結具のフックを、パネル単体の支柱における棚板取付用ブラケット等の係止孔に係合しうるようにする。
【０００７】
(３) 上記(１)または(２)項において、衝立てを、複数の仕切板単体における互いに隣接するものの側端同士を水平回動可能として連結することにより、折り畳み可能とする。
【０００８】
(４) 上記(３)項において、壁体の内面にパネルを直角状に取付け、このパネルの先端の側端部に、折り畳み可能な衝立ての一側端を水平回動可能に枢着する。
【０００９】
【発明の実施の形態】
図１〜図８は、本発明の第１の実施形態を示すもので、部屋(１)を方形に囲むローパーテイション等のパネルである壁体(２)は、後記するように、前後左右方向(以下、方向は図１の下方を前として説明する)１列に並ぶ多数のパネル単体(３)を、支柱(４)をもって連結して形成されている。図１及び図２中の(５)はテーブル、(６)は椅子である。
【００１０】
図６に示すように、隣接するパネル単体(３)は、その両側板(3a)の両側端部を、扁平な矩形筒状の支柱(４)の両側面に、図示しないフック等により係止して形成され、左右の両側板(3a)の端縁間には、間隙(７)が形成されている。この間隙(７)より露出する支柱(４)の要所には、棚板支持用のブラケットを係止する上下方向に並ぶ多数の縦長矩形状の係止孔(８)が穿設されている(図５参照)。
【００１１】
部屋(１)を仕切る衝立て(９)は、同形状の縦長長方形をなす複数の仕切板単体(10)の両側端部同士の少なくとも上下部を、上下方向を向く２軸一体型の枢支具(11)をもって回動可能に１列に連結することにより、隣接する仕切板単体(10)同士が互いに重合するように折り畳まれるようになっている。最後の仕切板単体(図１の上側)の側端には、上下方向を向く枢支筒(12)が固着されている。
【００１２】
(13)は上下１対の連結具で、縦長の連結板(14)の一側面には、上下方向に並ぶ複数(実施形態では３個)の下向鉤状のフック(15)が連設され、その他側面側には、上方のものにおいては下向きの、下方のものにおいては上向きの枢支軸(16)が、それぞれ上下の端部を、連結板(14)にそれと若干の隙間を設けて一体的に固着されている。
【００１３】
上記上下の連結具(13)における枢支軸(16)を、それぞれ最後方の仕切板単体(10)に固着した枢支筒(12)に嵌合させた状態で、上下の各フック(15)を支柱(４)の適宜の係止孔(８)に係合させることにより、衝立て(９)は、その一側端が壁体(２)により垂直に、かつ折り畳み可能に回動自在に支持される。
【００１４】
上述した第１の実施形態においては、例えば衝立て(９)を、図１に示すような位置に設定すれば、部屋(１)を左右に直線的に仕切ることができるとともに、衝立て(９)を任意の角度に屈曲させれば、部屋(１)を使用目的に応じた所要の形状に仕切ることができる。
【００１５】
また、不使用時には、図８に示すように、壁体(２)に沿わせて折り畳むことができ、邪魔になることはない。
【００１６】
さらに、衝立て(９)は、フック(15)により着脱自在に支柱(４)に取付けられているので、他の支柱(４)に容易に付け換えすることができ、部屋(１)を任意の大きさに仕切ることができる。
【００１７】
図９及び図１０は、本発明の第２の実施形態を示すもので、上記第１の実施形態と同一の各部材には、同じ符号を付して、その詳細な説明は省略する。
【００１８】
上記第１の実施形態と異なる点は、壁体(２)の内面中央に、短寸の支持パネル(17)を直角に取付け、その内端に、上述と同様の衝立て(９)を、上記と同様にして回動可能に連結してある。
【００１９】
この第２の実施形態においても、上述と同様の作用効果を奏することができ、また、不使用時には、図１０に示すように、支持パネル(17)の一側面に沿わせて折り畳むことができる。
【００２０】
【発明の効果】
請求項１記載の発明によれば、衝立てを、パネル単体の係止孔に着脱可能として係合可能な連結具に枢着しているので、着脱が容易であり、衝立ての設置位置を簡単に変えることができる。
また、衝立ては水平回動可能に枢着されているので、不使用時には、壁体に沿わせて邪魔にならない位置に移動しておくことができる。
さらに、簡単な構成で、衝立てとパネル単体との連結部の強度を高めることができ、大きな外力が加わったとしても、衝立てが倒れることはない。
【００２１】
請求項２記載の発明によれば、フックの係止孔を新たに穿設することなく、既に設置されているパネル単体の支柱の係止孔を利用して、衝立てを容易かつ強固に取付けることができ、また移動も容易である。
【００２２】
請求項３記載の発明によれば、不使用時に、衝立てをコンパクトに折り畳んでおくことができるとともに、その運搬も容易となる。
【００２３】
請求項４記載の発明によれば、衝立てを、パネルの一側面に沿わせて折り畳むことができるので、不使用時において衝立ての一方の側面がパネルにより隠蔽され、体裁が向上する。
【図面の簡単な説明】
【図１】  本発明の第１の実施形態における衝立て使用時の部屋全体の平面図である。
【図２】  同じく、衝立て不使用時に折り畳んだ状態の平面図である。
【図３】  同じく、壁体と衝立てとの連結部の構造を要部を縦断して示す拡大分解図である。
【図４】  同じく、連結具により、衝立てを取付けた状態を示す要部の拡大縦断面図である。
【図５】  同じく、支柱の要部の拡大正面図である。
【図６】  同じく、壁体と衝立てとの連結部の拡大横断平面図である。
【図７】  同じく、衝立て使用時の拡大横断平面図である。
【図８】  同じく、衝立て不使用時の拡大横断平面図である。
【図９】  本発明の第２の実施形態における衝立て使用時の部屋全体の平面図である。
【図１０】  同じく、衝立て不使用時の部屋全体の平面図である。
【符号の説明】
(１)部屋
(２)壁体(パーテイション)
(３)パネル単体
(3a)側板
(４)支柱
(５)テーブル
(６)椅子
(７)間隙
(８)係止孔
(９)衝立て
(10)仕切板単体
(11)枢支具
(12)枢支筒
(13)連結具
(14)連結板
(15)フック
(16)枢支軸
(17)支持パネル
【図１】
0004464500.tif 000002
【図２】
0004464500.tif 000003
【図３】
0004464500.tif 000004
【図４】
0004464500.tif 000005
【図５】
0004464500.tif 000006
【図６】
0004464500.tif 000007
【図７】
0004464500.tif 000008
【図８】
0004464500.tif 000009
【図９】
0004464500.tif 000010
【図１０】
0004464500.tif 000011